(57)【特許請求の範囲】
【請求項１】
患者の住所、氏名、生年月日、性別、カルテデータ等の個人データ入力手段を備えた認識コンピュータと、治療経過記録用カメラの画像及び診療内容等のデータ入力手段を備えた１又は複数の診療サイドコンピュータと、画像の入力手段を備えた画像診断システムサイドコンピュータと、これらのデータの記録保管手段を備えたサーバーコンピュータ等を接続し、前記サーバーコンピュータに格納したデータを前記各コンピュータに出力することを可能に構成した院内ＬＡＮシステムにおいて、
前記認識コンピュータと前記１又は複数の診療サイドコンピュータ及び前記画像診断システムサイドコンピュータのそれぞれに患者の顔画像を自動的に取得する顔認識カメラを接続し、予め受付にて認識コンピュータに患者の個人情報を入力すると同時に顔認識カメラにて患者の顔画像を自動的に取得することにより得られた個人情報と顔画像データをサーバーコンピュータに格納し、更に患者を導入した診療位置における診療サイドコンピュータ又は画像診断システムサイドコンピュータに接続された顔認識カメラにて顔画像を自動的に再取得してその顔画像データとサーバーコンピュータ内に予め記録保管された顔画像データとを照合し、一致する患者データを自動的に検索しかつ当該診療位置のコンピュータあるいは近傍に備えた表示装置上に出力し、又は、当該診療サイドコンピュータからサーバーコンピュータ内の所定位置に診療データを格納させるとともに、サーバーコンピュータを中心にして各データの管理を行う顔認識による歯科用の患者データ管理システムであって、
患者が初診の場合には、前記認識コンピュータに備えた個人データ入力手段としてのペン入力装置あるいはキー入力装置により、同患者の個人情報を入力すると同時に、認識コンピュータに接続された顔認識カメラにより顔画像を自動的に取得し、患者個人毎にＩＤ番号を付与しつつ、前記認識コンピュータに接続されたＩＤカード発行機からＩＤカード（診察券）を発行し、他方前記認識コンピュータに入力された前記患者の個人情報は、前記サーバーコンピュータに送られ、各患者のＩＤ番号、ＩＤ１、ＩＤ２、ＩＤ３・・・別に顔画像1、顔画像２・・・及び個人データ１、個人データ２・・・が格納され、かつ再来時には、前記初診時に発行された前記ＩＤカードを用い、受付にて、前記認識コンピュータに接続されたＩＤカードによる入力装置を介して個人情報を入力すると同時に顔画像を認識コンピュータに接続された顔認識カメラにて自動的に再取得するとともに、前記サーバーコンピュータ内に格納される当該ＩＤ番号の位置に個人情報とともに再取得した顔画像を格納することができるように構成し、
さらに、前記患者が前記受付を経て、ユニットチェアに導入された場合には、着座すると同時にチェアサイドコンピュータに接続される顔認識カメラにて自動的に着座した患者の顔画像を再取得し、前記サーバーコンピュータ内に格納される顔画像と照合して一致する顔画像に該当するＩＤ番号を検索するとともに当該ＩＤ番号に保管されるデータを患者が着座したユニットチェアのチェアサイドコンピュータ又はその近傍に設けられた表示装置に前記患者の個人情報を出力し確認することができ、かつ前記患者がデジタルＸ線システムに導入された場合は、当該デジタルＸ線システムに接続される顔認識カメラにて導入された患者の顔画像を再取得し、前記サーバーコンピュータ内に格納される顔画像と照合して一致する顔画像に該当するＩＤ番号に保管されるデータを前記デジタルＸ線システムを介して前記患者の個人情報を出力し確認することができ、
さらに、前記ユニットチェア又はデジタルＸ線システムにおいては、それぞれの診療位置から前記患者の診療データあるいはＸ線画像データを入力して前記サーバーコンピュータ内の前記患者の当該ＩＤ番号位置データとして格納することができるように構成したことを特徴とする顔認識による歯科用の患者データ管理システム。
【発明の詳細な説明】
【０００１】
【発明の属する技術分野】
本発明は、個人情報認識コンピュータ、サーバーコンピュータ、画像診断システム、治療経過記録用カメラ等を接続した院内ＬＡＮシステムに関する。
【０００２】
【従来の技術】
従来、歯科医院内にて認識コンピュータ、サーバーコンピュータ、画像診断システム、治療経過記録用カメラ等が接続された院内ＬＡＮシステムにおいては、患者を診療位置に導入した際に、その診療位置の装置ごとに患者を特定するために、術者自身が当該装置内のコンピュータ又は当該装置に接続されたコンピュータを操作して患者の個人情報を確認し必要な診療データをサーバーコンピュータから呼び出したり、あるいは個人情報と診療情報とを結合して特定の患者データとして保存したりし、又は患者の識別情報が記録されたカード等の媒体を用いて識別情報を患者自身又は術者が入力操作をする等の方法が採られていた。
【０００３】
【発明が解決しようとする課題】
前記従来の院内ＬＡＮシステムはそれなりに省力効果を発揮しうるものであるが、しかし患者を各診療位置に導入する度に患者個人を特定するために診療位置の装置に備えられたコンピュータにて識別情報の入力操作を繰り返さなければならないばかりでなく、格納された多くのデータの中から所要のデータを出力させる場合においてもその度にコンピュータを操作しなければならないという煩雑さがあり、術者の負担が大きいという問題があった。
【０００４】
また、識別データを記録した記憶媒体を用いて患者の識別情報を各診療装置に備えられたコンピュータに入力する方法も採られているが、この場合も記憶媒体にて操作する煩雑さがある他、記憶媒体を紛失したり他の記憶媒体と混同したりする恐れがある。
【０００５】
よって本発明は前記問題点に鑑みてなされたものであり、患者が所定の診療位置に導入された際にその診療位置の装置に備えられたコンピュータにて患者のデータを自動的に出力し又は入力することができる院内ＬＡＮシステムの提供を目的とする。
【０００６】
【課題を解決するための手段】
本発明の請求項１は、患者の住所、氏名、生年月日、性別、カルテデータ等の個人データ入力手段を備えた認識コンピュータと、治療経過記録用カメラの画像及び診療内容等のデータ入力手段を備えた１又は複数の診療サイドコンピュータと、画像の入力手段を備えた画像診断システムサイドコンピュータと、これらのデータの記録保管手段を備えたサーバーコンピュータ等を接続し、前記サーバーコンピュータに格納したデータを前記各コンピュータに出力することを可能に構成した院内ＬＡＮシステムにおいて、
【０００７】
前記認識コンピュータと前記１又は複数の診療サイドコンピュータ及び前記画像診断システムサイドコンピュータのそれぞれに患者の顔画像を自動的に取得する顔認識カメラを接続し、予め受付にて認識コンピュータに患者の個人情報を入力すると同時に顔認識カメラにて患者の顔画像を自動的に取得することにより得られた個人情報と顔画像データをサーバーコンピュータに格納し、更に患者を導入した診療位置における診療サイドコンピュータ又は画像診断システムサイドコンピュータに接続された顔認識カメラにて顔画像を自動的に再取得してその顔画像データとサーバーコンピュータ内に予め記録保管された顔画像データとを照合し、一致する患者データを自動的に検索しかつ当該診療位置のコンピュータあるいは近傍に備えた表示装置上に出力し、又は、当該診療サイドコンピュータからサーバーコンピュータ内の所定位置に診療データを格納させるとともに、サーバーコンピュータを中心にして各データの管理を行う顔認識による歯科用の患者データ管理システムであって、
患者が初診の場合には、前記認識コンピュータに備えた個人データ入力手段としてのペン入力装置あるいはキー入力装置により、同患者の個人情報を入力すると同時に、認識コンピュータに接続された顔認識カメラにより顔画像を自動的に取得し、患者個人毎にＩＤ番号を付与しつつ、前記認識コンピュータに接続されたＩＤカード発行機からＩＤカード（診察券）を発行し、他方前記認識コンピュータに入力された前記患者の個人情報は、前記サーバーコンピュータに送られ、各患者のＩＤ番号、ＩＤ１、ＩＤ２、ＩＤ３・・・別に顔画像1、顔画像２・・・及び個人データ１、個人データ２・・・が格納され、かつ再来時には、前記初診時に発行された前記ＩＤカードを用い、受付にて、前記認識コンピュータに接続されたＩＤカードによる入力装置を介して個人情報を入力すると同時に顔画像を認識コンピュータに接続された顔認識カメラにて自動的に再取得するとともに、前記サーバーコンピュータ内に格納される当該ＩＤ番号の位置に個人情報とともに再取得した顔画像を格納することができるように構成し、さらに、前記患者が前記受付を経て、ユニットチェアに導入された場合には、着座すると同時にチェアサイドコンピュータに接続される顔認識カメラにて自動的に着座した患者の顔画像を再取得し、前記サーバーコンピュータ内に格納される顔画像と照合して一致する顔画像に該当するＩＤ番号を検索するとともに当該ＩＤ番号に保管されるデータを患者が着座したユニットチェアのチェアサイドコンピュータ又はその近傍に設けられた表示装置に前記患者の個人情報を出力し確認することができ、かつ前記患者がデジタルＸ線システムに導入された場合は、当該デジタルＸ線システムに接続される顔認識カメラにて導入された患者の顔画像を再取得し、前記サーバーコンピュータ内に格納される顔画像と照合して一致する顔画像に該当するＩＤ番号に保管されるデータを前記デジタルＸ線システムを介して前記患者の個人情報を出力し確認することができ、さらに、前記ユニットチェア又はデジタルＸ線システムにおいては、それぞれの診療位置から前記患者の診療データあるいはＸ線画像データを入力して前記サーバーコンピュータ内の前記患者の当該ＩＤ番号位置データとして格納することができるように構成したことを特徴とするものである。
【０００８】
しかして本願発明の前記構成によれば、予め受付にて患者の顔画像を取得してその画像をサーバーコンピュータに格納しておくことにより、患者が所定の診療位置に導入された際にその位置に備えられた顔認識カメラにて顔画像を再取得し、その顔画像データとサーバーコンピュータ内に予め記憶保管された顔画像データとを自動的に照合して一致するデータを検索し診療位置の装置に所要のデータを出力することが可能となる。
【０００９】
これにより従来のように術者がコンピュータを操作して患者データを入出力するという煩雑さが解消されるとともにコンピュータを介して患者データの一括管理が可能となる他、カルテを含む総てのデータの保管管理スペースを削減することが可能となる。
【００１０】
また、本願発明は前記構成に加えて、患者が初診時には予め受付にて前記認識コンピュータに個人情報を入力すると同時に顔認識カメラにて顔画像を自動的に取得してＩＤ番号を付与するとともにＩＤカードを発行し、再来時には初診時に発行されたＩＤカードを用い受付にて前記認識コンピュータに個人情報を入力すると同時に顔画像を顔認識カメラにて自動的に再取得し、サーバーコンピュータ内における当該ＩＤ番号の位置に個人情報とともに再取得した顔画像を格納させることを特徴とするものである。
【００１１】
よって、前記構成によれば、初診時にＩＤカード、即ち診察券を取得しておくことにより再来時には前回取得したＩＤカードを用いて個人情報を入力することができるので入力操作が簡単になるとともに、顔画像を自動的に再取得してサーバーコンピュータに記憶させることにより常に新しい顔画像が格納され、誤認識を減少させることが可能となる。
しかも、ユニットチェアあるいはデジタルＸ線システムに導入された患者を即時に確認認識することができるとともに、それぞれの診療位置から診療内容データあるいはＸ線画像データを入力してサーバーコンピュータ内の当該患者の該当ＩＤ番号位置に格納管理することができる。
【００１３】
かかる構成により前記構成と同様な作用効果が適確に得られる。
【００１４】
【発明の実施の形態】
以下、本発明の実施の形態を図面に基づいて説明する。
【００１５】
図１から図７は本発明の顔認識による患者データ管理システムに係り、図１は顔認識による患者データ管理システムの概略構成を示す図、図２は顔認識カメラを備えたペン入力装置の斜視図、図３は顔認識カメラを備えたキー入力装置の斜視図、図４はサーバーコンピュータ内のデータベースを示す図、図５は受付における初診時の入力システム図、図６は受付における再診時の入力システム図、図７は患者データの転送及び格納を示す図である。
【００１６】
図１に示されるように、本発明の顔認識による患者データ管理システムは、サーバーコンピュータ１を中心に、受付にて患者９を認識する認識コンピュータ２と、各診療位置にて治療経過記録用カメラである口腔内カメラ３が接続された１又は複数の診療サイドコンピュータであるチェアサイドコンピュータ４と、画像診断システムであるデジタルＸ線システムコンピュータ５と、診療終了後にカルテの情報に基づいて保険点数等を自動計算するレセプトコンピュータ６と、データをプリントアウトするプリンター７とが接続され、更に認識コンピュータ２と、チェアサイドコンピュータ４と、デジタルＸ線システム５とのそれぞれには顔認識カメラ８が接続されており、受付に設置された認識コンピュータ２には、例えば図２に示されるように顔認識カメラ８が取りつけられたペン入力装置１０あるいは図３に示されるように顔認識カメラ８が取りつけられたキー入力装置１１と、ＩＤカード発行機１２、及びＩＤカードによる入力装置１３が接続されている。
【００１７】
なお、前記顔認識カメラは、認識コンピュータ２と、１又は複数のチェアサイドコンピュータ４及びデジタルＸ線システムコンピュータ５のそれぞれに接続しないで、これらの側近に配置してサーバーコンピュータに直接に接続してもよい。
【００１８】
次に顔認識による患者データ管理システムの運用について説明する。
まず患者９が初診の場合は、受付にて従来から用いられている問診表に記入する代わりに、図２に示されるようなペン入力装置１０、あるいは図３に示されるようなキー入力装置１１により患者の住所、氏名、電話番号、年齢、性別等の個人データを入力すると同時に、認識コンピュータ２に接続された顔認識カメラ８により顔画像を自動的に取得することにより患者個人毎にＩＤ番号が付与され、接続されたＩＤカード発行機１２からＩＤカード１６、即ち診察券が発行される。
一方、認識コンピュータ２に入力されたデータはサーバーコンピュータ１に送られ、例えば図４のデータベース表１４に示されるように、各患者のＩＤ番号ＩＤ１，ＩＤ２，ＩＤ３，・・・別に顔画像１、顔画像２、・・・及び個人データ１、個人データ２、・・・が格納される。
【００１９】
また、患者９が再診の場合は、受付にて、図６に示されるように初診時に発行されたＩＤカード１６を用いＩＤ入力装置１３に個人情報を入力する。この時、入力装置近傍に備えられた顔認識カメラ８にて顔画像が自動的に取得されこの顔画像により前回ＩＤ番号の該当欄に格納された顔画像が更新される。
【００２０】
このようにして患者９が受付を経て、例えばユニットチェアー１５に導入された場合には、着座すると同時に図７に示される顔認識カメラ８にて自動的に顔画像が再取得され、この顔画像を基に予めサーバーコンピュータ１内に格納された顔画像、即ちデータベース表１４内の顔画像と照合して一致する顔画像、例えば顔画像６と一致した場合はＩＤ６が自動的に検索される。これによりＩＤ６の位置に保管されたデータをチェアサイドコンピュータ４又はその近傍に設けられた表示装置に即時に出力して患者の個人情報を確認する。
【００２１】
患者９がデジタルＸ線システム５に導入された場合も、前記と同様にして、このシステムに備えられた顔認識カメラにて顔画像が自動的に再取得され、この顔画像を基にＩＤ番号が自動的に検索されることにより、患者個人情報の確認が可能となる。
【００２２】
また前記ユニットチェアー１５あるいはデジタルＸ線システム５においては、それぞれの診療位置から診療内容データあるいはＸ線画像データを入力してサーバーコンピュータ１内の当該ＩＤ番号、例えばＩＤ６の位置にＸ線画像６としてデータを格納することにより、格納されたデータは一括管理され、また一括管理された各種データはそれぞれの診療位置に備えられた表示装置に即時に出力させることができる他、所要のデータをプリンター７からプリントアウトさせることができる。
【００２３】
診療終了後はカルテ情報をレセプトコンピュータへ出力して保険点数を自動計算し、ＩＤカードは患者に返還される。
【００２４】
またサーバーコンピュータ１内のデータベースとは別に、認識コンピュータ２内に顔画像とＩＤ番号を格納する患者データベースを設け、診療所内にいる患者の顔画像とＩＤ番号だけを格納しておき、診療終了時に患者データベースから削除しておくことにより顔画像の認識速度及び認識精度を高めることが可能となる。
【００２５】
また、本発明の患者データ管理システムは、歯科医院内に限定されるものではなく、歯科医院以外のＬＡＮにも適用することが可能である。
【００２６】
【発明の効果】
以上説明したように本発明によれば、受付に設置された認識コンピュータにて個人情報を入力するとともに顔認識カメラにて自動的に取得した顔画像を予めサーバーコンピュータに格納しておくことにより、患者を導入した診療サイドに備えられた顔認識カメラにて顔画像を自動的に再取得し、この再取得した顔画像を基に予めサーバーコンピュータに格納しておいた顔画像と一致する顔画像を自動検索して患者の個人情報を診療サイドに備えられた表示装置に即時出力することが可能となり、また診療サイドから新たなカルテデータや診断画像データをサーバーコンピュータ内における当該患者ＩＤ番号の位置に入力することが可能となる。
【００２７】
これにより患者を診療サイドに導入する度に術者がコンピュータを操作して患者の個人データを出力する煩雑さがなくなり作業負荷の軽減が可能になるとともに、カルテを含む患者データをサーバーコンピュータ内に格納して一括管理することが可能となる他、データ保管場所を削減することが可能となる。
【図面の簡単な説明】
【図１】本発明の実施の形態に係る顔認識による患者データ管理システムの概略構成を示す図である。
【図２】顔認識カメラを備えたペン入力装置の斜視図である。
【図３】顔認識カメラを備えたキー入力装置の斜視図である。
【図４】サーバーコンピュータ内のデータベースを示す図である。
【図５】受付における初診時の入力システム図である。
【図６】受付における再診時の入力システム図である。
【図７】患者データの転送及び格納を示す図である。
【符号の説明】
１  サーバーコンピュータ
２  認識コンピュータ
３  口腔内カメラ
４  チェアサイドコンピュータ
５  デジタルＸ線システム
８  顔認識カメラ
９  患者
１０  ペン入力装置
１１  キー入力装置
１２  ＩＤカード発行機
１３  ＩＤ入力装置
１４  データベース表
１５  ユニットチェアー
１６  ＩＤカード
【図１】
0004567143.tif 000002
【図２】
0004567143.tif 000003
【図３】
0004567143.tif 000004
【図４】
0004567143.tif 000005
【図５】
0004567143.tif 000006
【図６】
0004567143.tif 000007
【図７】
0004567143.tif 000008